(57)【要約】【課題】衣類上でのボタンの意匠性、クリーニングでの耐久性を損ねることがなく、また、ボタンの大きさ、ボタンの穴位置の違いによってＩＣタグの形状を変更する必要のない衣類管理のために利用して好適なＩＣタグを得る。【解決手段】ＩＣタグ１００は、ＩＣタグとして機能する管理対象物の識別情報を含む管理情報記憶した電子部品１０３とアンテナ１０４とを、耐衝撃性、耐熱性、耐薬品性、柔軟性あるいは伸縮性を有するゴム、合成樹脂等により断面形状が略円形でリング状に形成したリング状部材１０１の内部に封止し、リング状部材１０１の内側にメッシュ状部材１０２を設けて構成される。リング状部材１０１の内側に設けられるメッシュ状部材１０２も、リング状部材１０１と同様に、耐衝撃性、耐熱性、耐薬品性、柔軟性あるいは伸縮性を有する合成樹脂等が使用される。【選択図】図１
2010277161.tif 000002
【特許請求の範囲】
【請求項１】
管理対象物に取り付けられ、当該管理対象物の管理のために利用されるＩＣタグにおいて、
リング状に形成されたリング状部材の内部に電子部品とアンテナとが封止されていて、前記リング状部材の内側にメッシュ状部材が設けられており、
前記電子部品に、前記管理対象物を管理するための前記管理対象物の識別情報を含む管理情報が記憶されていることを特徴とするＩＣタグ。
【請求項２】
前記電子部品に記憶された管理情報は、情報読み取り手段を用いて非接触で情報の読み書きが可能であることを特徴とする請求項１記載のＩＣタグ。
【請求項３】
前記リング状部材及び前記メッシュ状部材は、耐衝撃性、耐熱性および柔軟性あるいは伸縮性を有する素材により形成されていることを特徴とする請求項１または２記載のＩＣタグ。
【請求項４】
衣類に取り付けられて利用されることを特徴とする請求項１、２または３記載のＩＣタグ。
【発明の詳細な説明】
【技術分野】
【０００１】
本発明は、ＩＣタグに係り、特に、衣類等にボタンと共に取り付けて、クリーニングにおける衣類管理、盗難防止、偽造防止のために利用して好適なＩＣタグに関する。
【背景技術】
【０００２】
ボタンと共に衣類等に装着するＩＣタグに関する従来技術として、例えば、特許文献１等に記載された技術が知られている。この従来技術は、管理対象物の識別情報を記憶した電子部品とアンテナとを、内側に折り曲げられた鍔部を有し円板状に形成した耐衝撃性、耐熱性、柔軟性のある素材により封止した構造を有するＲＦＩＤタグに関するもので、クリーニング時の衣類管理のために利用すると共に、衣類のボタンの裏止め部品として利用して好適なものである。
【先行技術文献】
【特許文献】
【０００３】
【特許文献１】特開２００４−３２９８２２号公報
【発明の概要】
【発明が解決しようとする課題】
【０００４】
前述した従来技術は、衣類のボタンの裏止め部品としても利用され、その場合、ボタンの大きさがＩＣタグの径と著しく違うと、ＩＣタグの形状を変更する必要が生じるという問題点を有している。また、前述の従来技術は、ボタンの裏側の補強用ボタンにＩＣタグの鍔部をひっかけて使用するように構成されているので、別途、補強用ボタンが必要であるという問題点をも有している。さらに、前述した従来技術は、意匠性、クリーニングでの耐久性を損ねないために、衣類の表側に装着することができないという問題点を有している。
【０００５】
本発明の目的は、前述したような従来技術の問題点を解決し、衣類上でのボタンの意匠性、クリーニングでの耐久性を損ねることがなく、また、ボタンの大きさ、ボタンの穴位置の違いによってＩＣタグの形状を変更する必要のないクリーニング時の衣類管理のために利用すると共に、衣類のボタンの裏止め部品として利用して好適なＩＣタグを提供することにある。
【課題を解決するための手段】
【０００６】
本発明によれば前記目的は、管理対象物に取り付けられ、当該管理対象物の管理のために利用されるＩＣタグにおいて、リング状に形成されたリング状部材の内部に電子部品とアンテナとが封止されていて、前記リング状部材の内側にメッシュ状部材が設けられており、前記電子部品に、前記管理対象物を管理するための前記管理対象物の識別情報を含む管理情報が記憶されていることにより達成される。
【発明の効果】
【０００７】
本発明によれば、ＩＣタグを衣類のボタンの下に糸を通じて衣類に固定させることができるため、衣類上でのボタンの意匠性、クリーニングでの耐久性を損ねることがなく、また、ボタンの大きさ、ボタンの穴位置の違いでタグの形状を変更する必要がない。
【図面の簡単な説明】
【０００８】
【図１】本発明の一実施形態によるＩＣタグの構成例を示す平面図である。
【図２】本発明の実施形態によるＩＣタグにおけるメッシュ状部材をリング状部材に取り付ける方法を説明する断面図である。
【図３】本発明の実施形態によるＩＣタグの取り付け状態を説明する断面及び正面を示す図である。
【発明を実施するための形態】
【０００９】
以下、本発明によるＩＣタグの実施形態を図面により詳細に説明する。
【００１０】
図１は本発明の一実施形態によるＩＣタグの構成例を示す平面図である。本発明の実施形態によるＩＣタグ１００は、一般に、ＲＦＩＤタグと呼ばれているものであり、電池を持たずに、読み取り機からの無線による電力を利用して非接触で各種の情報の読み書きを行うことができるものである。そして、この本発明の実施形態によるＩＣタグ１００は、図１に示すように、ＩＣタグとして機能する管理対象物の識別情報を含む管理情報を記憶した電子部品１０３とアンテナ１０４とを、耐衝撃性、耐熱性、耐薬品性、柔軟性あるいは伸縮性を有するゴム、合成樹脂等によりリング状に形成したリング状部材１０１の内部に封止し、リング状部材１０１の内側にメッシュ状部材１０２を設けて構成される。リング状部材１０１の内側に設けられるメッシュ状部材１０２も、リング状部材１０１と同様に、耐衝撃性、耐熱性、耐薬品性、柔軟性あるいは伸縮性を有する合成樹脂等が使用される。
【００１１】
図２は本発明の実施形態によるＩＣタグ１００におけるメッシュ状部材１０２をリング状部材１０１に取り付ける方法を説明する断面図である。
【００１２】
リング状部材１０１は、図２に示すように、リング状に形成された中心部材１０７と、この中心部材１０７が嵌め込まれる溝を有しリング状に形成された下側溝部材１０５と、この下側溝部材１０５の上部、すなわち、中心部材１０７が嵌め込まれている側から被せることが可能な溝を有しリング状に形成された上側部材１０６とにより構成される。そして、図１により説明した電子部品１０３とアンテナ１０４とは、中心部材１０７の内部に埋め込まれている。下側溝部材１０５と上側部材１０６と中心部材１０７とは、前述したように、耐衝撃性、耐熱性、耐薬品性、柔軟性あるいは伸縮性を有する合成樹脂等により構成される。
【００１３】
メッシュ状部材１０２のリング状部材１０１への取り付けは、まず、下側溝部材１０５の溝を上にして、溝の中に中心部材１０７を嵌め込み、次に、その上からメッシュ状部材１０２を置き、その上から上側部材１０６の溝を下側にして、上側溝部材１０６を中心部材１０７が嵌め込まれている下側溝部材１０５に被せることにより行われる。そして、下側溝部材１０５の溝と中心部材１０７との間、メッシュ状部材１０２、中心部材１０７を挟んだ下側溝部材１０５と上側溝部材１０６との間は、接着剤等により接着される。
【００１４】
図３は本発明の実施形態によるＩＣタグ１００の取り付け状態を説明する断面及び正面を示す図であり、次に、これについて説明する。
【００１５】
一般に、衣類１１１には、ボタン穴１１０が空けられたボタン１０８が糸１０９を使用して取り付けられている。本発明の実施形態によるＩＣタグ１００は、図３に断面として示しているように、衣類１１１に取り付けられたボタン１０８と衣類との間に取り付けられて固定される。
【００１６】
図３により説明したようなＩＣタグ１００の取り付けは、衣類の製造時に行う必要があるが、この製造時に、管理情報をＩＣタグ１００に書き込んでおくことにより、その後の、流通、販売段階での管理、利用者に衣類が販売された後の不良の申立て、クリーニング等の種々の段階で、衣料品の管理を行うことが可能となる。また、例えば、販売店だけで、あるいは、クリーニング店だけでの管理のために、本発明の実施形態によるＩＣタグ１００を利用しようとするような場合、本発明の実施形態によるＩＣタグ１００を、衣類の適宜の場所、例えば、裏側等に、メッシュ状部材１０２を通して糸により取り付けて使用することができる。この場合、店での管理を終了するとき、ＩＣタグ１００を取り外せばよく、ＩＣタグを再利用することが可能となる。
【００１７】
前述した本発明の実施形態は、内部にＩＣタグとして機能する電子部品１０３とアンテナ１０４とが収納されてるリング状部材１０１の内側にメッシュ状部材１０２を設けて構成されるとして説明したが、本発明は、メッシュ状部材１０２の代わりに、糸が通過可能な素材による布を用いることができる。この場合、前述したと同様に、布を上下側の溝部材と中心部材との間に挟んで固定してもよい。
【００１８】
また、メッシュ状部材１０２の代わりに、糸が通過可能な素材による布を用いる場合、前述で説明した本発明の実施形態によるＩＣタグ１００のリング状部材１０１を、円形の布の縁部を折り返し、布の中に封止するように糸を用いて縫ってもよい。また、布により封止してＩＣタグを構成する場合、リング状部材１０１を構成している中心部材１０７だけを、円形の布の縁部を折り返し、布の中に封止するように糸により縫ってもよい。
【００１９】
前述したような布を利用した本発明の実施形態の場合にも、布を用いたＩＣタグは、メッシュ状部材を用いた場合と同様に利用することができる。
【００２０】
前述した本発明の実施形態によるＩＣタグは、衣類等のボタンの下に取り付けることにより、ボタンの意匠性、クリーニングでの耐久性を損ねることなく衣類にＩＣタグを取り付けることができる。また、ＩＣタグをボタンの大きさ、デザインに関係なく衣類に取り付けが可能であり、企業の衣類（制服）の管理、クリーニング業界における衣類管理に活用することができる。
【符号の説明】
【００２１】
１００  ＩＣタグ
１０１  リング状部材
１０２  メッシュ状部材
１０３  電子部品
１０４  アンテナ
１０５  下側溝部材
１０６  上側溝部材
１０７  中心部材
１０８  ボタン
１０９  糸
【図１】
2010277161.tif 000003
【図２】
2010277161.tif 000004
【図３】
2010277161.tif 000005